(57)【特許請求の範囲】
【請求項１】
文字および数字などの入力を行う第１の入力部と、表示部に機能の表示が行われる第２の入力部とからなる操作部と、
電話着信を検出する着信検出手段と、
前記第１の入力部を介した入力中に前記着信検出手段が電話着信を検出すると、前記第１の入力部を介した入力を無効にするとともに、前記第２の入力部に対して電話着信に応答するための機能と前記第１の入力部を介した入力操作に戻るための機能とを割り当てる入力制御部と、
前記第１の入力部を介した入力中に前記着信検出手段が電話着信を検出すると、前記第１の入力部を介した入力で作成した画面に重ねて着信表示を行うとともに、前記入力制御部が第２の入力部に割り当てた前記電話着信に応答するための機能と前記入力操作に戻るための機能を示す画像を表示部に表示させる表示制御部と
を具備することを特徴とする携帯端末。
【請求項２】
文字および数字などの入力を行う第１の入力部と、表示部に機能の表示が行われる第２の入力部とからなる操作部と、
電話着信を検出する着信検出手段と、
前記第１の入力部を介した入力中に前記着信検出手段が電話着信を検出すると、前記第１の入力部を介した入力を無効にするとともに、前記第２の入力部に対して電話着信に応答するための機能、前記第１の入力部を介した入力操作に戻るための機能、および留守録機能を起動させるための機能とを割り当てる入力制御部と、
前記第１の入力部を介した入力中に前記着信検出手段が電話着信を検出すると、前記第１の入力部を介した入力で作成した画面に重ねて着信表示を行うとともに、前記入力制御部が第２の入力部に割り当てた前記電話着信に応答するための機能、前記入力操作に戻るための機能、及び留守録機能を起動するための機能を示す画像を表示部に表示させる表示制御部と
を具備することを特徴とする携帯端末。
【請求項３】
文字および数字などの入力を行う第１の入力部と、表示部に機能の表示が行われる第２の入力部とからなる操作部と、
電話着信を検出する着信検出手段と、
電子メールを作成中に前記着信検出手段が電話着信を検出すると、前記第１の入力部を介した入力を無効にするとともに、前記第２の入力部に対して電話着信に応答するための機能と前記第１の入力部を介した前記電子メールの作成画面に戻るための機能とを割り当てる入力制御部と、
電子メールを作成中に前記着信検出手段が電話着信を検出すると、前記電子メールの作成画面に重ねて着信表示を行うとともに、前記入力制御部が第２の入力部に割り当てた前記電話着信に応答するための機能と前記電子メールの作成画面に戻るための機能を示す画像を表示部に表示させる表示制御部と
を具備することを特徴とする携帯端末。
【請求項４】
前記表示制御部は、前記第２の入力部を介して着信に応答するための機能が選択されると、前記表示部に、前記電話着信に基づく発信者の情報を表示させることを特徴とする請求項３に記載の携帯端末。
【発明の詳細な説明】
【技術分野】
【０００１】
本発明の実施形態は、メモ作成やメール作成などの操作入力中に電話着信があったときにユーザ操作性のよいユーザーインターフェースを有する携帯端末に関する。
【背景技術】
【０００２】
携帯電話機等の携帯端末において、ユーザがメモ作成やメール作成などの操作入力を行っているときに電話着信があった場合、ユーザの意図に反して電話着信に応答したり、また、元の操作入力に戻ることが簡単にできないなどの問題がある。
【先行技術文献】
【特許文献】
【０００３】
【特許文献１】特開平１１−２３４３６７号公報
【発明の概要】
【発明が解決しようとする課題】
【０００４】
携帯電話機等の携帯端末において、ユーザがメモ作成やメール作成などの操作入力を行っているときに電話着信があった場合に、ユーザ操作性のよいユーザーインターフェースを有する携帯端末を提供することを目的とする。
【課題を解決するための手段】
【０００５】
上記目的を達成するために、本発明の実施形態の携帯端末は、文字および数字などの入力を行う第１の入力部と、表示部に機能の表示が行われる第２の入力部とからなる操作部と、電話着信を検出する着信検出手段と、前記第１の入力部を介した入力中に前記着信検出手段が電話着信を検出すると、前記第１の入力部を介した入力を無効にするとともに、前記第２の入力部に対して電話着信に応答するための機能と前記第１の入力部を介した入力操作に戻るための機能とを割り当てる入力制御部と、前記第１の入力部を介した入力中に前記着信検出手段が電話着信を検出すると、前記第１の入力部を介した入力で作成した画面に重ねて着信表示を行うとともに、前記入力制御部が第２の入力部に割り当てた前記電話着信に応答するための機能と前記入力操作に戻るための機能を示す画像を表示部に表示させる表示制御部とを具備することを特徴とする。
【図面の簡単な説明】
【０００６】
【図１】本発明の各実施例に係る携帯端末１００の関連部分のブロック図。
【図２】本発明の実施例１に係る携帯端末１００の制御部２０の動作フローチャート。
【図３】本発明の実施例１に係る携帯端末１００の表示部１０の表示状態を説明する図。
【図４】本発明の実施例２に係る携帯端末１００の制御部２０の動作フローチャート。
【図５】本発明の実施例２に係る携帯端末１００の表示部１０の表示状態を説明する図。
【図６】本発明の実施例３に係る携帯端末１００の制御部２０の動作フローチャート。
【図７】本発明の実施例３に係る携帯端末１００の表示部１０の表示状態を説明する図。
【発明を実施するための形態】
【０００７】
図１は、本発明の各実施例に係る携帯端末１００の関連部分のブロック図である。携帯端末１００は、アンテナ１、無線通信部２、通信制御部３、音声処理部４、マイクロホン５、スピーカ６、操作処理部７、操作入力部８、画像処理部９、表示部１０、着信対応記憶部１１、制御部２０等から構成される。制御部２０は、図示しないＣＰＵ、ＲＯＭ、ＲＡＭなどから構成され、ＲＯＭに記憶されているソフトウェアに基づいて、着信ＵＩ機能２１、操作入出力機能２２を実行する。
【０００８】
次に上記各部について説明する。無線通信部２は、図示しない携帯電話網を構成する基地局との間でアンテナ１を介して無線信号の送受を行うとともに、無線信号とベースバンド信号間の周波数変換、ベースバンド信号と送受信データ間の変調復調処理などを行う。
【０００９】
通信制御部３は、無線通信部２の送受信データに関して、フレーム同期、データフォーマット処理等を行って、制御データ、通信データ、音声データを抽出する。また、その逆の処理を行う。
【００１０】
音声処理部４は、マイクロホン５からの音声信号を圧縮して音声データとして、通信制御部３へ送る。また、通信制御部３からの音声データを伸長して音声信号としてスピーカ６へ送る。
【００１１】
操作処理部７は、テンキーやマルチファンクションキー等である操作入力部８をキースキャンしてキー押下を検出し、制御部２０へ通知する。画像処理部９は、制御部２０からの画像データを表示部１０の形式に合わせて画像処理を行う。なお、操作処理部７はタッチセンサを備えた表示パネルによって実現することも可能であり、この場合は、テンキーやマルチファンクションキーなどは、表示パネル上に表示され、タッチセンサがユーザの指などの接触を検出することで、それぞれのキー入力が行われる。
【００１２】
着信対応記憶部１１は、電話着信があったときに電話に出られない場合にどう対応するかを、使用者により予め登録しておく記憶部であり、留守番電話転送、着信拒否等のいずれかの対応方法が予め登録される。
【００１３】
制御部２０の着信ＵＩ機能２１は、携帯端末１００への電話着信を受信し、この受信に応じ通信制御部３から制御データとして着信通知を受けると、その時点で操作入出力機能２２が動作中であるかを判断して、ユーザーインターフェースの表示や操作処理部7を介して入力された操作入力に対する処理を行う。
【００１４】
操作入出力機能２２は、使用者によるキー操作、すなわち、操作入力部８のキー押下に応じて表示部１０の表示を制御する機能であり、例えば、メール作成、電話帳登録、メモ作成、その他のキー操作に伴う機能である。  
なお、着信ＵＩ機能２１と操作入出力機能２２を別々に設けたが、制御部２０の処理の中で、両者を共に行う機能構成であってもよい。
【００１５】
次に、これらの機能の詳細をフローチャートで説明する。ここでは、制御部２０の機能としてまとめて説明する。
【実施例１】
【００１６】
図２は、本発明の実施例１に係る携帯端末１００の制御部２０の動作フローチャートである。図３は、本発明の実施例１に係る携帯端末１００の表示部１０の表示状態を説明する図である。両図を用いて説明する。
【００１７】
制御部２０は、電話着信があって通信制御部３から着信通知を受けると（ステップＳ１のＹＥＳ）、その時点で、使用者のキー操作に伴う操作入出力機能を実行中であるかをチェックする（ステップＳ２）。
【００１８】
［着信時点で操作入出力機能を実行中、例えば、メール作成中の場合］
制御部２０は、ステップＳ２でＹＥＳ、すなわち、操作入出力機能、例えばメール作成を実行中（図３の（Ａ）。第１の表示）に電話着信があったとすると、キー操作を無効にし（ステップＳ３）、着信に対するエニーキーアンサーが設定されていても無効とする。これにより、使用者がメール作成のためのキー操作をちょうど行っていたタイミングだとしても、意図に反して着信に応答してしまうことを防ぐ。
【００１９】
そして、制御部２０は、着信音を開始する（ステップＳ４）。さらに、図３の（Ａ）のメール作成画面の色調を薄く表示して、それに重ねて、着信表示をｎ秒間行う（ステップＳ５。図３の（Ｂ）。第２の表示）。着信表示は、発信者が電話番号の通知を許可し、携帯端末１００の電話帳（不図示）に登録してある電話番号であれば、この電話番号に対応付けて登録されている発信者名や写真などの画像等の発信者情報を表示する。
【００２０】
この図３の（Ｂ）の表示で、元のメール作成画面を削除せずに薄く表示したことで、使用者は、メール作成画面が削除されずに、まだ有効であることを知ることができる。同時に、電話着信中であり、その相手が誰であるかも知ることができる。
【００２１】
制御部２０は、図３の（Ｂ）の表示を、使用者が認識できる程度の時間ｎ秒間行った後、電話着信に応答するための着信キーとメール作成に戻るための戻るキーをソフトキーとして表示する（ステップＳ６。図３の（Ｃ）。第３の表示）。これは、使用者に対して、いずれかの操作選択を促す操作選択のための画面表示である。
【００２２】
この図３の（Ｃ）で使用者が着信キーを押下すると、制御部２０は、着信キーを検出し（ステップＳ７の着信キー）、着信全画面表示を行う（ステップＳ８。図３の（Ｄ）。第４の表示）。
【００２３】
この図３の（Ｄ）で使用者が通話キーを押下すると、制御部２０は、通話キーを検出し（ステップＳ９の通話キー）、着信音を停止して通話処理に入る（ステップＳ１０）。使用者が留守キーを押下すると、制御部２０は、留守キーを検出し（ステップＳ９の留守キー）、着信音を停止して留守番電話転送処理を行う（ステップＳ１１）。使用者が拒否キーを押下すると、制御部２０は、拒否キーを検出し（ステップＳ９の拒否キー）、着信音を停止して着信拒否処理を行う（ステップＳ１２）。
【００２４】
その後、通話が終了し、操作入力部８を介して終話操作が行われ、また、留守番電話への転送処理が終了し、また、着信を拒否する処理が行われると、電話着信に基づいた処理が終了する（ステップＳ１３）。
【００２５】
なお、着信キーが押下されると、それまで行っていたメール作成の操作が一時中断することになるが、上記ステップＳ１３の終了処理の後に、再びメール作成の画面に復帰する。ただし、必ずしもメール作成の画面に復帰する必要はなく、着信キーの押下に伴ってメール作成の処理を終了させ、このとき作成中のメールは図示しない記憶部に記憶されるとしてもよい。
【００２６】
前のステップＳ６、図３の（Ｃ）の着信キーと戻るキーの操作選択画面において、使用者が戻るキーを押下すると、制御部２０は、戻るキーを検出し（ステップＳ７で戻るキー）、着信音を停止する(ステップＳ１４)。次に、制御部２０は、着信対応記憶部１１に予め使用者により登録されている留守番電話転送か着信拒否かの処理方法を読み出して、現在着信中の通信に対して、留守番電話転送か着信拒否の処理を行う（ステップＳ１５）。そして、元のメール作成画面へ戻って継続しながら（ステップＳ１６）、ステップＳ１へ戻る。
【００２７】
［着信時点で操作入出力機能を実行中ではない、例えば、待ち受け中の場合］
ステップＳ２でＮＯ、すなわち、操作入出力機能を実行中ではない、例えば、待ち受け中に電話着信があったとすると、これは、従来の処理と同様であり、以下にその処理を説明する。  
まず、着信音を鳴動し（ステップＳ２０）、着信全画面表示を行う（ステップＳ８。図３の（Ｄ））。ステップＳ８〜Ｓ１３は上記したとおりであり、説明を省略する。
【００２８】
上記説明の内、ステップＳ２のための操作入力部を第１の入力部と称する。ステップＳ６の機能表示と操作入力部を第２の入力部と称する。また、ステップＳ２からＳ７までの内、第１の入力部を介した入力を無効にするとともに、第２の入力部に対して電話着信に応答するための機能と第１の入力部を介した入力操作に戻るための機能とを割り当てる制御を入力制御部と称する。また、ステップＳ６の画像を表示させる制御を表示制御部と称する。
【００２９】
以上説明した実施例１によれば、操作入出力機能を実行中（表示は第１の表示中）に着信があったとき、キー操作を無効にすることで、ユーザが操作入出力機能に伴うキー操作を行なっていたとしても、ユーザの意図に反した着信応答操作にならないで済む。また、操作入出力機能の表示に着信表示を重ねた表示（第２の表示）を行うことで、使用者は、操作入出力機能がまだ継続可能であることと電話着信中であることを同時に知ることができる。また、引き続き、着信に応答するか操作入出力機能へ戻るかの操作選択の第３の表示を行うことで、使用者は、容易に選択することができる。そこで、使用者が操作入出力機能へ戻る操作を行った場合には、操作入出力機能へ戻ると共に、現在着信している呼出しに対して予め登録してある留守番電話や着信拒否で対応することができる。このように、操作入出力機能を実行中の着信に対して、使用者にとって操作入出力機能を優先させたい場合でも着信を優先させたい場合でも操作性のよいユーザーインターフェースとすることができる。
【実施例２】
【００３０】
図４は、本発明の実施例２に係る携帯端末１００の制御部２０の動作フローチャートである。図５は、本発明の実施例２に係る携帯端末１００の表示部１０の表示状態を説明する図である。図４の動作フローチャートは、実施例１の図２と同じ処理は同じステップ番号を付し、同じ箇所は簡単に説明する。
【００３１】
実施例２では、実施例１の図３の（Ｂ）と（Ｃ）を合わせた表示として、図５の（Ｂ）としたものである。
【００３２】
［着信時点で操作入出力機能を実行中、例えば、メール作成中の場合］
ステップＳ１〜Ｓ４は、実施例１と同じであり、制御部２０は、電話着信があり（ステップＳ１のＹＥＳ）、その時点で、例えばメール作成を実行中（図５の（Ａ）。第１の表示）であれば（ステップＳ２でＹＥＳ）、キー操作を無効にし（ステップＳ３）、着信音を開始する（ステップＳ４）。
【００３３】
そして、制御部２０は、図５の（Ａ）のメール作成画面の色調を薄く表示して、それに重ねて、着信表示および電話着信に応答するための着信キーとメール作成に戻るための戻るキーをソフトキーとして表示する（ステップＳ５１。図５の（Ｂ）。第２の表示）。これは、使用者に対して、着信報知といずれかの操作選択を促す操作選択をまとめた画面表示である。
【００３４】
この図５の（Ｂ）で使用者が着信キーか戻るキーを押下したあとの、制御部２０のステップＳ７、Ｓ８〜Ｓ１３、Ｓ１４〜Ｓ１６の処理は実施例１と同じであり、説明を省略する。
【００３５】
［着信時点で操作入出力機能を実行中ではない、例えば、待ち受け中の場合］
ステップＳ２で待ち受け中であった場合、それ以降のステップＳ２０、Ｓ８〜Ｓ１３は、実施例１と同じであり、また、従来の待ち受け中の着信時の処理と同じであり、説明を省略する。
【００３６】
上記説明の内、ステップＳ２のための操作入力部を第１の入力部と称する。ステップＳ５１の機能表示と操作入力部を第２の入力部と称する。また、ステップＳ２からＳ７までの内、第１の入力部を介した入力を無効にするとともに、第２の入力部に対して電話着信に応答するための機能と第１の入力部を介した入力操作に戻るための機能とを割り当てる制御を入力制御部と称する。また、ステップＳ５１の画像を表示させる制御を表示制御部と称する。
【００３７】
以上説明した実施例２によれば、操作入出力機能を実行中（表示は第１の表示中）に着信があったとき、キー操作を無効にすることで、ユーザが操作入出力機能に伴うキー操作を行なっていたとしても、ユーザの意図に反した着信応答操作にならないで済む。また、操作入出力機能の表示に重ねて、着信表示および着信に応答するか操作入出力機能へ戻るかの操作選択をまとめた第２の表示を行う。これにより、使用者は、操作入出力機能がまだ継続可能であることと電話着信中であることを知ることができると共に、それに対する操作選択も同時に認識でき、使用者にとって操作性のよいユーザーインターフェースとすることができる。
【実施例３】
【００３８】
図６は、本発明の実施例３に係る携帯端末１００の制御部２０の動作フローチャートである。図７は、本発明の実施例３に係る携帯端末１００の表示部１０の表示状態を説明する図である。図６の動作フローチャートは、実施例１の図２と同じ処理は同じステップ番号を付し、同じ箇所は簡単に説明する。
【００３９】
実施例３では、実施例１の図３の（Ｂ）と（Ｃ）と（Ｄ）を合わせた表示として、図７の（Ｂ）としたものである。また、図３の（Ｄ）を図７の（Ｄ）として待ち受け中に着信があったときの専用表示としたものである。
【００４０】
［着信時点で操作入出力機能を実行中、例えば、メール作成中の場合］
ステップＳ１〜Ｓ４は、実施例１と同じであり、制御部２０は、電話着信があり（ステップＳ１のＹＥＳ）、その時点で、例えばメール作成を実行中（図７の（Ａ）。第１の表示）であれば（ステップＳ２でＹＥＳ）、キー操作を無効にし（ステップＳ３）、着信音を開始する（ステップＳ４）。
【００４１】
そして、制御部２０は、図７の（Ａ）のメール作成画面の色調を薄く表示して、それに重ねて、着信表示および電話着信に対応して通話するための通話キーと、電話着信に対応して留守番電話処理してメール作成へ戻る留守キーと、電話着信に対応して着信拒否してメール作成へ戻る拒否キーの操作選択をまとめた画面表示を行うの第２の表示を行う（ステップＳ６１。図７の（Ｂ）。第２の表示）。これは、使用者に対して、着信報知といずれかの操作選択を促す操作選択をまとめた画面表示である。
【００４２】
この図７の（Ｂ）で使用者が通話キーを押下すると、制御部２０は、通話キーを検出し（ステップＳ６２の通話キー）、着信音を停止して通話処理に入る（ステップＳ６３）。その後、通話が終了し、操作入力部８を介して終話操作が行われると終了する（ステップＳ６４）。
【００４３】
なお、ステップＳ６２で通話キーが押下されると、それまで行っていたメール作成の操作が一時中断することになるが、上記ステップＳ６４の終了処理の後に、再びメール作成の画面に復帰する。ただし、必ずしもメール作成の画面に復帰する必要はなく、通話キーの押下に伴ってメール作成の処理を終了させ、このとき作成中のメールは図示しない記憶部に記憶されるとしてもよい。
【００４４】
図７の（Ｂ）で使用者が留守キーを押下すると、制御部２０は、留守キーを検出し（ステップＳ６２の留守キー）、着信音を停止して留守番電話転送処理を行う（ステップＳ６５）。そして、元のメール作成画面へ戻って継続しながら（ステップＳ６７）、ステップＳ１へ戻る。
【００４５】
図７の（Ｂ）で使用者が拒否キーを押下すると、制御部２０は、拒否キーを検出し（ステップＳ６２の拒否キー）、着信音を停止して着信拒否処理を行う（ステップＳ６６）。そして、元のメール作成画面へ戻って継続しながら（ステップＳ６７）、ステップＳ１へ戻る。
【００４６】
［着信時点で操作入出力機能を実行中ではない、例えば、待ち受け中の場合］
ステップＳ２で待ち受け中であった場合、それ以降のステップＳ２０、Ｓ８〜Ｓ１３は、待ち受け中に着信があったときの専用の処理であるが、内容は、実施例１と同じであり、また、従来の待ち受け中の着信時の処理と同じであり、説明を省略する。
【００４７】
上記説明の内、ステップＳ２のための操作入力部を第１の入力部と称する。ステップＳ６１の機能表示と操作入力部を第２の入力部と称する。また、ステップＳ２からＳ６２までの内、第１の入力部を介した入力を無効にするとともに、第２の入力部に対して電話着信に応答するための機能と第１の入力部を介した入力操作に戻るための機能とを割り当てる制御を入力制御部と称する。また、ステップＳ６１の画像を表示させる制御を表示制御部と称する。
【００４８】
以上説明した実施例３によれば、操作入出力機能を実行中（表示は第１の表示中）に着信があったとき、キー操作を無効にすることで、ユーザが操作入出力機能に伴うキー操作を行なっていたとしても、ユーザの意図に反した着信応答操作にならないで済む。また、操作入出力機能の表示に重ねて、着信表示および電話着信に対応して通話するための通話キーと、電話着信に対応して留守番電話処理してメール作成へ戻る留守キーと、電話着信に対応して着信拒否してメール作成へ戻る拒否キーの操作選択をまとめた画面表示（第２の表示）を行う。これにより、使用者は、操作入出力機能がまだ継続可能であることと電話着信中であることを知ることができると共に、それに対する操作選択も同時に認識でき、また、電話着信に対して留守番電話か着信拒否かの選択操作もこの時点で行うことができ、使用者にとって操作性のよいユーザーインターフェースとすることができる。
【００４９】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５０】
１  アンテナ
２  無線通信部
３  通信制御部
４  音声処理部
５  マイクロホン
６  スピーカ
７  操作処理部
８  操作入力部
９  画像処理部
１０  表示部
１１  着信対応記憶部
２０  制御部
２１  着信ＵＩ機能
２２  操作入出力機能
１００  携帯端末
【図１】
0005471973.tif 000002
【図２】
0005471973.tif 000003
【図３】
0005471973.tif 000004
【図４】
0005471973.tif 000005
【図５】
0005471973.tif 000006
【図６】
0005471973.tif 000007
【図７】
0005471973.tif 000008